(57)【要約】【課題】空気清浄器のスイッチの入り切りを検知する検知部を動作させる突起部が輸送時に破損する事が無い空気調和機を提供する。【解決手段】前面枠１ａと、前記前面枠１ａに回動自在に設けられた吸入グリル２と、空気清浄器（図示せず）と、前記空気清浄器のスイッチ入り切りを判断する検知部３と、前記吸入グリル２に設けられると共に前記吸入グリル２の閉成時に前記検知部３に当接する突起部６と、前記前面枠１ａに設けられた凸形状部４を具備し、前記吸入グリル２の前記凸形状部４に相対する位置に前記凸形状部４を囲うように凸形状リブ５を設けたもので、凸形状リブ５と凸形状部４とで位置規制されるので、製品輸送時に吸入グリル２の突起部６の破損を防止することができる。【選択図】図２
2005195220.tif 000002
【特許請求の範囲】
【請求項１】
前面枠と、前記前面枠に回動自在に設けられた吸入グリルと、空気清浄器と、前記空気清浄器のスイッチの入り切りを判断する検知部と、前記吸入グリルに設けられると共に前記吸入グリルの閉成時に前記検知部に当接する突起部と、前記前面枠に設けられた凸形状部を具備し、前記吸入グリルの前記凸形状部に相対する位置に前記凸形状部を囲うように凸形状リブを設けた空気調和機。
【請求項２】
吸入グリルに設けた凸形状リブの内側に略三角形状のリブを設けた請求項１記載の空気調和機。
【請求項３】
前面枠に塵埃捕集用のエアーフィルターを設け、吸入グリルの閉成時に凸形状リブの先端が前記エアーフィルターの枠部に当接するようにした請求項１または２記載の空気調和機。
【発明の詳細な説明】
【技術分野】
【０００１】
本発明は、空気調和機に関するもので、特に空気清浄器を具備した空気調和機に関するものである。
【背景技術】
【０００２】
従来の空気清浄器付きの空気調和機について、図８を用いて説明する。
【０００３】
図８において、１８は、空気調和機の室内機で、１３は室内機１８の外装を構成する台枠、１４は空気清浄器１９のスイッチ（図示せず）の入り切りを判断する検知部、１５は室内機１０の外装の一部を構成する前面枠、１６は外装を構成する吸入グリル、１６ａは吸入グリル１６に具備した突起である。
【０００４】
以上の構成により、特殊具１７に取り付けた検知部１４を、吸入グリル１６に具備した突起１６ａが、吸入グリル１６を回動させることにより、空気清浄器１９のスイッチの入り切りを行い、検知部１４が作動していた（例えば特許文献１参照）。
【特許文献１】特開平１０−２７４４２１号公報
【発明の開示】
【発明が解決しようとする課題】
【０００５】
しかしながら、上記従来の構成では、空気清浄器１９のスイッチの入り切りを作動させる吸入グリル１６に具備した突起１６ａが、前面枠１５に設けた空気清浄器１９のスイッチを作動させる為に必要な穴部１５ａと近接しているため、空気調和機の輸送時の品質保証を行なうために製品落下試験を行なうと、前面枠１５に設けた穴部１５ａに衝突し吸入グリル１６に具備した突起１６ａが破損するという課題を有していた。
【０００６】
又、吸入グリル１６と前面枠１５の横方向、及び縦方向の位置決めが無く、検知部１４の動作方向のばらつきが大きく発生するという課題を有していた。さらに、空気清浄器１９を空気調和機に具備することにより、エアーフィルターの左右どちらかが、大きくなり大きいほうのエアーフィルターの両端が、浮き上がるという課題を有していた。
【０００７】
本発明は、上記従来の課題を解決するもので、空気清浄器のスイッチの入り切りを判断する検知部を動作させる突起部が輸送時に破損するのを防止し、かつエアーフィルターの反りによる塵埃浸入を防止する空気調和機を提供することを目的とする。
【課題を解決するための手段】
【０００８】
前記従来の課題を解決するために、本発明の空気調和機は、前面枠と、前記前面枠に回動自在に設けられた吸入グリルと、空気清浄器と、前記空気清浄器のスイッチの入り切りを判断する検知部と、前記吸入グリルに設けられると共に前記吸入グリルの閉成時に前記検知部に当接する突起部と、前記前面枠に設けられた凸形状部を具備し、前記吸入グリルの前記凸形状部に相対する位置に前記凸形状部を囲うように凸形状リブを設けたもので、吸入グリルの凸形状リブと前面枠の凸形状部とで位置規制されるので、製品輸送時に吸入グリルに具備した突起部の破損を防止することができる。
【発明の効果】
【０００９】
本発明の空気調和機は、輸送時に吸入グリルに設けた突起部が破損する事がないので、、製品の輸送時の品質保証を確実に行なうことができる。
【発明を実施するための最良の形態】
【００１０】
第１の発明は、前面枠と、前記前面枠に回動自在に設けられた吸入グリルと、空気清浄器と、前記空気清浄器のスイッチの入り切りを判断する検知部と、前記吸入グリルに設けられると共に前記吸入グリルの閉成時に前記検知部に当接する突起部と、前記前面枠に設けられた凸形状部を具備し、前記吸入グリルの前記凸形状部に相対する位置に前記凸形状部を囲うように凸形状リブを設けたもので、吸入グリルの凸形状リブと前面枠の凸形状部とで位置規制されるので、製品輸送時に吸入グリルに具備した突起部の破損を防止することができる。
【００１１】
第２の発明は、特に、第１の発明の吸入グリルに設けた凸形状リブの内側に略三角形状のリブを設けたもので、前面枠の凸形状部が前記リブでガイドされるので、検知部の動作が確実に行なわれるものである。
【００１２】
第３の発明は、特に、第１又は第２の発明の前面枠に塵埃捕集用のエアーフィルターを設け、吸入グリルの閉成時に凸形状リブの先端が前記エアーフィルターの枠部に当接するようにしたもので、エアーフィルターの反りを矯正し、空気調和機の運転の際にエアーフィルターが浮き上がることなく、空気調和機の運転を確実にするものである。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の室内機の側面図で、図２は図１のＡ部拡大断面図、図３は、同空気調和機の部分正面図である。
【００１５】
図１、２において、室内機１は、その外装を構成する前面枠１ａ、前記前面枠１ａに回動自在に取着された吸入グリル２、空気清浄器１２のスイッチ（図示せず）を入り切りする検知部３、前面枠１ａに具備された凸形状部４、吸入グリル２に設けられ前面枠１ａの凸形状部４を囲う凸形状リブ５を備えている。
【００１６】
６は吸入グリル２に具備した空気清浄器１２の入り切りを操作する検知部３の動作を行なう突起部で、７は、前面枠１ａ内部にある検知部３の操作を吸入グリル２に具備した突起部６により行なう為に必要な穴部である。
【００１７】
同図において、８は吸入グリル２を回動するために前面枠１ａに設けた吸入グリル２の挿入部である。９は前面枠１ａを、台枠（図示せず）に固定するネジ取り付け部である。
【００１８】
図１〜図３において、前面枠１ａに具備した凸形状部４は、吸入グリル２に具備した凸形状リブ５に近接して囲われており、製品輸送を保証する製品落下の際に、前面枠１ａの凸形状部４と、吸入グリル２に設けた凸形状リブ５が接触し、上下、左右の動きが規制されるので、吸入グリル２に具備した突起部６が破損することが無く、空気清浄器１２の入り切りを動作させる検知部３の動作が確実なものとなる。
【００１９】
（実施の形態２）
図４は、本発明の第２の実施の形態における空気調和機の要部拡大断面図、図５は同空気調和機の部分正面図である。なお、上記実施の形態と同一部分については同一符号を付してその説明を省略する。
【００２０】
本実施の形態は、前面枠１に吸入グリル２を閉じるときに、前面枠１に具備した穴部７に、吸入グリル２に具備した突起部６を確実に誘導する為に、凸形状部４を案内する斜面付きのリブ１０を設けたもので、空気清浄器１２を入り切り操作をする検知部３の動作をより確実にする事ができるものである。
【００２１】
（実施の形態３）
図６は、本発明の第３の実施の形態における空気調和機の要部拡大断面図、図７は同空気調和機の部分正面図である。なお、上記実施の形態と同一部分については同一符号を付してその説明を省略する。
【００２２】
空気清浄器１２の性能を向上するため、一般的に大きくするのが知られている。本実施例における空気清浄器１２も同様であって、空気清浄器１２は、室内機１の吸い込みサイズの半分以上を占めている。よって空気清浄器１２のメンテナンス時に取り出すため、右又は左が大きくなり、エアーフィルター１１のサイズが、右又は左が大きくならざるを得ない。そのことにより、大きなエアーフィルター１１は、反りの影響を受け両端が浮き前面枠１ａとの間に隙間ができ、その隙間から塵等を吸い込むことになり、空気調和機の運転に支障をきたすことになる。
【００２３】
本実施の形態では、図６に示すように、吸入グリル２を閉じた時に、それに設けられた凸形状リブ５の端面をエアーフィルター１１の枠部１１ａに当接させるようにしたもので、吸入グリル２を閉じたときに凸形状リブ５がエアーフィルター１１の枠部１１ａを押すことにより、前面枠１とエアーフィルター１１の隙間が無くなり空気調和機は塵を吸い込むことなく、確実な運転を行なうことができる。
【産業上の利用可能性】
【００２４】
以上のように、本発明にかかる空気調和機は、空気清浄器のスイッチの入り切りを判断する検知部を動作させる突起部が、輸送時に破損する事がないもので、突起部を備えた開閉部材を有する各種機器、装置にも適用できるものである。
【図面の簡単な説明】
【００２５】
【図１】本発明の実施の形態１における空気調和機の室内機の側面図
【図２】図１のＡ部拡大断面図
【図３】同室内機の部分正面図
【図４】本発明の実施の形態２における空気調和機の室内機の要部拡大断面図
【図５】（ａ）同室内機の部分正面図、（ｂ）図５（ａ）のＢ部拡大図
【図６】本発明の実施の形態３における空気調和機の室内機の要部拡大断面図
【図７】同室内機の部分正面図
【図８】従来例を示す空気調和機の横断面図
【符号の説明】
【００２６】
１    室内機
１ａ    前面枠
２    吸入グリル
３    検知部
４    凸形状部
５    凸形状リブ
６    突起部
７    穴部
１０    リブ
１１    エアーフィルタ
１２    空気清浄器
【図１】
2005195220.tif 000003
【図２】
2005195220.tif 000004
【図３】
2005195220.tif 000005
【図４】
2005195220.tif 000006
【図５】
2005195220.tif 000007
【図６】
2005195220.tif 000008
【図７】
2005195220.tif 000009
【図８】
2005195220.tif 000010